(57)【要約】【課題】  暗所において表示を行う際の周囲から見える表示部に不用意に表示が行われることを防止する。【解決手段】  接眼部を介して視認可能なファインダ内に設けられた第一の表示部と、前記ファインダの外に設けられた第二の表示部と、前記第一の表示部への物体の接近を検知する検知手段と、暗所に適した表示をする暗所表示モードに設定する設定手段と、前記暗所表示モードに設定されていない場合には、前記検知手段によって物体の前記第一の表示部への接近が検知されなくなったことに応じて前記第二の表示部への表示を行い、前記表示モードに設定されている場合には、前記検知手段によって物体の前記第一の表示部への接近が検知されなくなっても前記第二の表示部への表示を行わないように制御する制御手段とを有することを特徴とする。【選択図】  図３
2016127498.tif 000002
【特許請求の範囲】
【請求項１】
接眼部を介して視認可能なファインダ内に設けられた第一の表示部と、
前記ファインダの外に設けられた第二の表示部と、
前記第一の表示部への物体の接近を検知する検知手段と、
暗所に適した表示をする暗所表示モードに設定する設定手段と、
前記暗所表示モードに設定されていない場合には、前記検知手段によって物体の前記第一の表示部への接近が検知されなくなったことに応じて前記第二の表示部への表示を行い、
前記表示モードに設定されている場合には、前記検知手段によって物体の前記第一の表示部への接近が検知されなくなっても前記第二の表示部への表示を行わないように制御する制御手段とを有することを特徴とする表示制御装置。
【請求項２】
接眼部を介して視認可能なファインダ内に設けられた第一の表示部と、
前記ファインダの外に設けられた第二の表示部と、
暗所に適した表示をする暗所表示モードに設定する設定手段と、
表示先を前記第二の表示部へ切り替える操作を受け付ける受付手段と、
前記暗所表示モードに設定されていない場合には、前記受付手段により前記操作を受け付けたことに応じて前記第二の表示部への表示を行い、
前記暗所表示モードに設定されている場合には、前記操作があっても前記第二の表示部への表示を行わないように制御する制御手段とを有することを特徴とする表示制御装置。
【請求項３】
表示先を前記第二の表示部へ切り替える操作を受け付ける受付手段をさらに有し、
前記制御手段は、前記暗所表示モードに設定されていない場合には、前記受付手段により前記操作を受け付けたことに応じて前記第二の表示部への表示を行い、
前記暗所表示モードに設定されている場合には、前記操作があっても前記第二の表示部への表示を行わないように制御することを特徴とする請求項１に記載の表示制御装置。
【請求項４】
照度を計測する照度手段をさらに有し、
前記設定手段は、前記照度手段により計測された照度が所定の明るさ未満になったことに応じて、前記暗所表示モードに設定することを特徴とする請求項１乃至３のいずれか１項に記載の表示制御装置。
【請求項５】
前記設定手段は、ユーザの指示に応じて前記暗所表示モードへ設定することを特徴とする請求項１乃至４のいずれか１項に記載の表示制御装置。
【請求項６】
前記制御手段は、前記暗所表示モードに設定されている場合に、表示アイテムの青色成分を低減させて表示するように制御することを特徴とする請求項１乃至５のいずれか１項に記載の表示制御装置。
【請求項７】
前記制御手段は、前記暗所表示モードに設定されている場合に、前記第一の表示部及び前記第二の表示部の輝度を低減させて表示するように制御することを特徴とする請求項１乃至６のいずれか１項に記載の表示制御装置。
【請求項８】
前記制御手段は、前記検知手段によって物体の接近を検知していない期間に応じて、前記第一の表示部に、前記第一の表示部に表示を行わないことを示す警告を表示するように制御することを特徴とする請求項１乃至７のいずれか１項に記載の表示制御装置。
【請求項９】
前記制御手段は、前記暗所表示モードに設定されている場合に、前記検知手段によって物体の接近を第一の期間検知しなかったことに応じて、前記第一の表示部に、前記第一の表示部に表示を行わないことを示す警告を表示するように制御することを特徴とする請求項１乃至８のいずれか１項に記載の表示制御装置。
【請求項１０】
前記制御手段は、前記暗所表示モードに設定されている場合に、前記検知手段によって物体の接近を第二の期間検知しなかったことに応じて、前記第一の表示部に表示されていた前記第一の表示部に表示を行わないことを示す警告を非表示にするように制御することを特徴とする請求項１乃至９のいずれか１項に記載の表示制御装置。
【請求項１１】
前記制御手段は、前記暗所表示モードに設定されている場合に、前記検知手段によって物体の接近を前記第二の期間検知しなかった後に、物体の検知がされたことに応じて、前記第一の表示部に、前記第一の表示部に前記第一の表示部に表示を行わないことを示す警告を表示するように制御することを特徴とする請求項１乃至１０のいずれか１項に記載の表示制御装置。
【請求項１２】
前記制御手段は、前記暗所表示モードに設定されている場合に、前記第一の表示部に前記第一の表示部に表示を行わないことを示す警告を前記検知手段によって物体の接近を第一の期間検知しなかったことに応じて表示する場合は、暗所表示処理を施さずに表示し、前記検知手段によって物体の接近を第二の期間検知しなかった後に、物体の検知がされたことに応じて表示する場合は、前記第一の表示部に表示を行わないことを示す警告を暗所表示処理を施して表示するように制御することを特徴とする請求項１乃至１１のいずれか１項に記載の表示制御装置。
【請求項１３】
前記制御手段は、前記暗所表示モードに設定されている場合に、前記第一の表示部を含むファインダユニットが取り外されたことに応じて、前記第二の表示部に、ファインダに表示ができないことを示す警告を表示するように制御することを特徴とする請求項１乃至１２のいずれか１項に記載の表示制御装置。
【請求項１４】
前記制御手段は、前記暗所表示モードに設定されたことに応じて、前記第二の表示部への表示をしないようにし、前記第二の表示部から前記第一の表示部へ表示を切り替えるように制御することを特徴とする請求項１乃至１３のいずれか１項に記載の表示制御装置。
【請求項１５】
接眼部を介して視認可能なファインダ内に設けられた第一の表示部と、
前記ファインダの外に設けられた第二の表示部とを有する表示制御装置を制御する制御方法であって、
前記第一の表示部への物体の接近を検知する検知ステップと、
暗所に適した表示をする暗所表示モードに設定する設定ステップと、
前記暗所表示モードに設定されていない場合には、前記検知ステップにおいて物体の前記第一の表示部への接近が検知されなくなったことに応じて前記第二の表示部への表示を行い、
前記暗所表示モードに設定されている場合には、前記検知ステップにおいて物体の前記第一の表示部への接近が検知されなくなっても前記第二の表示部への表示を行わないように制御する制御ステップとを有することを特徴とする表示制御装置の制御方法。
【請求項１６】
接眼部を介して視認可能なファインダ内に設けられた第一の表示部と、
前記ファインダの外に設けられた第二の表示部とを有する表示制御装置を制御する制御方法であって、
暗所に適した表示をする暗所表示モードに設定する設定ステップと、
表示先を前記第二の表示部へ切り替える操作を受け付ける受付ステップと、
前記暗所表示モードに設定されていない場合には、前記受付ステップにおいて前記操作を受け付けたことに応じて前記第二の表示部への表示を行い、
前記暗所表示モードに設定されている場合には、前記操作があっても前記第二の表示部への表示を行わないように制御する制御ステップとを有することを特徴とする表示制御装置の制御方法。
【請求項１７】
コンピュータを、請求項１乃至１４のいずれか１項に記載された表示制御装置の各手段として機能させるためのプログラム。
【請求項１８】
コンピュータを、請求項１乃至１４のいずれか１項に記載された表示制御装置の各手段として機能させるためのプログラムを格納したコンピュータが読み取り可能な記録媒体。
【発明の詳細な説明】
【技術分野】
【０００１】
本発明は、ファインダ表示部と背面表示部への表示制御技術に関する。
【背景技術】
【０００２】
近年、光学ファインダとは異なり、電子画像としてライブビュー画像等を表示可能である電子ビューファインダがある。
【０００３】
特許文献１には、背面の液晶ディスプレイ（ＬＣＤ）と電子ビューファインダ（ＥＶＦ）を有する撮像装置においてＥＶＦへの接眼検知をしたことに応じて、ＬＣＤからＥＶＦへ表示を切り替えることが記載されている。また、ＥＶＦへの接眼検知をしなくなったことに応じて、ＥＶＦからＬＣＤへ表示先を切り替えることが記載されている。
【０００４】
一方、イベント会場などの暗い環境における暗所撮影においては、背面表示部に明るい表示がされると、周囲の人の目にも光が入り暗所における観察がしにくくなるため迷惑となる。また、動物を対象とした野外暗所での撮影においてもカメラの光が外にもれてしまうと撮影対象に逃げられてしまうことがある。
【０００５】
特許文献２には、通常モードとマナーモードとに切り替え可能であり、マナーモードである場合には表示画面において画像を通常モードのときよりも小さい領域に表示することで、周辺への影響を低減することが記載されている。
【先行技術文献】
【特許文献】
【０００６】
【特許文献１】特開２００３−３１９２２６号公報
【特許文献２】特開２０１３−１１５７２２号公報
【発明の概要】
【発明が解決しようとする課題】
【０００７】
特許文献１のように、接眼検知の結果に応じてＬＣＤとＥＶＦとへの表示を切り替える場合には、暗所においてＥＶＦからユーザが目を離した際にＬＣＤに表示がされてしまうため、ＬＣＤからの光が周囲に好ましくない影響を及ぼす可能性がある。
【０００８】
特許文献２のように、マナーモード設定したことに応じて表示する領域を小さくしても、暗所においては表示画面への表示がされてしまうと表示画面からの光が周囲に好ましくない影響を及ぼす可能性がある。
【０００９】
本発明は、上記の課題に鑑み、暗所において表示を行う際の周囲から見える表示部に不用意に表示が行われることを防止する表示制御装置の提供を目的とする。
【課題を解決するための手段】
【００１０】
上記目的を達成するために、本発明の表示制御装置は、接眼部を介して視認可能なファインダ内に設けられた第一の表示部と、前記ファインダの外に設けられた第二の表示部と、前記第一の表示部への物体の接近を検知する検知手段と、暗所に適した表示をする暗所表示モードに設定する設定手段と、前記暗所表示モードに設定されていない場合には、前記検知手段によって物体の前記第一の表示部への接近が検知されなくなったことに応じて前記第二の表示部への表示を行い、前記表示モードに設定されている場合には、前記検知手段によって物体の前記第一の表示部への接近が検知されなくなっても前記第二の表示部への表示を行わないように制御する制御手段とを有することを特徴とする。
【発明の効果】
【００１１】
本発明によれば、暗所において表示を行う際の周囲から見える表示部に不用意に表示が行われることを防止することができる。
【図面の簡単な説明】
【００１２】
【図１】本実施形態の構成を適用可能な表示制御装置の一例としてのデジタルカメラの構成例を示すブロック図。
【図２】本実施形態の構成を適用可能な表示制御装置の一例としてのデジタルカメラの外観図。
【図３】本実施形態の表示切替えに関する処理を示すフローチャート。
【図４】本実施形態における暗所表示設定画面の表示例を示す図。
【図５】本実施形態におけるライブビュー画面の表示例を示す図。
【発明を実施するための形態】
【００１３】
以下、図面を参照して本発明の好適な実施形態を説明する。
【００１４】
＜ハードウェア＞
図１に、本発明を適用可能なデジタルカメラ１００の構成の一例を示す。デジタルカメラ１００は、パーソナルコンピュータ（以下、ＰＣ）などを用いて構成可能なものである。
【００１５】
図１において、内部バス１５０に対してシステム制御部５０、メモリ１０２、不揮発性メモリ１０３、画像処理部１０４、ファインダ表示部１０５、操作部７０、記録媒体Ｉ／Ｆ１０７、外部Ｉ／Ｆ１０９、通信Ｉ／Ｆ１１０等が接続されている。内部バス１５０に接続される各部は、内部バス１５０を介して互いにデータのやりとりを行うことができるようにされている。
【００１６】
メモリ１０２は、例えばＲＡＭ（半導体素子を利用した揮発性のメモリなど）からなる。メモリ１０２は、撮像部１１２によって得られるデジタルデータに変換された画像データや、背面表示部２８（背面液晶）に表示するための画像データを格納する。
【００１７】
システム制御部５０は、例えば不揮発性メモリ１０３に格納されるプログラムに従い、メモリ１０２をワークメモリとして用いて、デジタルカメラ１００の各部を制御する。不揮発性メモリ１０３には、画像データや音声データ、その他のデータ、システム制御部５０が動作するための各種プログラムなどが格納される。不揮発性メモリ１０３は例えばハードディスク（ＨＤ）やＲＯＭなどで構成される。また、システム制御部５０は、照度計測部５７において計測されたデジタルカメラ１００周辺の照度によって背面表示部２８とファインダ表示部１０５における表示輝度を制御することができる。また、電源制御部５６のＯＮ（オン）とＯＦＦ（オフ）を検知し、ＯＦＦの場合には表示部への表示等を終了させることができる。システム制御部５０は、ファインダ表示部１０５においても背面表示部２８においても同じライブビュー画像や表示アイテムを表示させることができる。
【００１８】
システムメモリ５２には、ＲＡＭが用いられる。システムメモリ５２には、システム制御部５０の動作用の定数、変数、不揮発性メモリ１０３から読み出したプログラム等を展開する。
【００１９】
画像処理部１０４は、システム制御部５０の制御に基づいて、不揮発性メモリ１０３や記録媒体１０８に格納された画像データや、外部Ｉ／Ｆ１０９を介して取得した映像信号、通信Ｉ／Ｆ１１０を介して取得した画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにシステム制御部５０がプログラムに従って画像処理を施すことも可能である。
【００２０】
ファインダ表示部１０５は、システム制御部５０の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。システム制御部５０は、プログラムに従い表示制御信号を生成し、ファインダ表示部１０５に表示するための映像信号を生成してファインダ表示部１０５に出力するようにデジタルカメラ１００の各部を制御する。ファインダ表示部１０５は出力された映像信号に基づいて映像を表示する。本実施形態において説明するファインダ表示部１０５は、電子ビューファインダのことであり、光学ファインダとは異なる。なお、デジタルカメラ１００本体が備える構成としてはファインダ表示部１０５に表示させるための映像信号を出力するためのインターフェースまでとする。ファインダ表示部１０５は電子ビューファインダ等のファインダ表示部であり、外付けのモニタ（アクセサリとしての着脱式の電子ビューファインダ）等でもよい。また、背面表示部２８はＬＣＤ等の表示パネルでありデジタルカメラ１００本体に取り付けられている。接眼検知部１１３は、赤外線接近検知センサ等のセンサによりファインダ表示部１０５へのユーザの目の接近と、接近した状態から離れた状態であることを検知する。接近しているのが目かどうかまで判断できるものでなくてもよく、何らかの物体が接近していることを検知できるセンサでもよい。本実施形態では、何らかの物体が接近していることの検知を接眼検知と称するものとする。ただし、ファインダ表示部１０５及び接眼検知部１１３は、ファインダユニット２００（電子ファインダユニット）がデジタルカメラ１００本体に接続されている（装着されている）ときのみシステム制御部５０は制御を行えるものとする。また、システム制御部５０は、ファインダユニット２００がデジタルカメラ１００に接続されているか、外されているかを検知できるものとする。
【００２１】
操作部７０は、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。なお、タッチパネルは、背面表示部２８に重ね合わせて平面的に構成され、人体やスタイラスペンなどに接触された位置に応じた座標情報が出力されるようにした入力デバイスである。
【００２２】
記録媒体Ｉ／Ｆ１０７は、メモリーカードやＣＤ、ＤＶＤといった記録媒体１０８が装着可能とされ、システム制御部５０の制御に基づき、装着された記録媒体１０８からのデータの読み出しや、当該記録媒体１０８に対するデータの書き込みを行う。外部Ｉ／Ｆ１０９は、外部機器と有線ケーブルや無線によって接続し、映像信号や音声信号の入出力を行うためのインターフェースである。通信Ｉ／Ｆ１１０は、外部機器やインターネット１１１などと通信して、ファイルやコマンドなどの各種データの送受信を行うためのインターフェースである。
【００２３】
撮像部１１２は光学像を電気信号に変換するＣＣＤやＣＭＯＳ素子等で構成される撮像素子、レンズ群、絞りなどを備えたカメラユニットである。撮像部１１２により得られ、メモリ１０２に格納された画像データはアナログ変換されて背面表示部２８やファインダ表示部１０５に逐次転送されることでライブビュー画像（スルー画像、ＬＶ）として表示される。
【００２４】
システムタイマー５３は各種制御に用いる時間や、内蔵された時計の時間を計測する計時部である。システム制御部５０は、システムタイマー５３により所定時間が計測されたことに応じてスリープモードに遷移し、表示部での表示をやめるようにすることができる。
【００２５】
背面表示部２８およびファインダ表示部１０５における表示の光学輝度変更はシステム制御部５０の制御に基づいてそれぞれバックライト等の輝度調整装置を調整することでできる。本実施形態においては、表示の光学輝度は０ｃｄ／ｍ２〜３００ｃｄ／ｍ２程度の間で調整することができるものとする。また、画像処理部１０４は、背面表示部２８に表示する画像及び表示アイテムをなす画素の各ＲＧＢ成分の明度の値を変更することができる。ＲＧＢ成分は０〜２５５の２５６段階で変更可能である。各画像のＲＧＢ成分の値は、検出可能（取得可能）であるが各画像や表示アイテムと共に不揮発性メモリ１０３に記憶してもよい。暗所においては可視光のうち青の波長の光量が低い表示であれば暗順応がとけにくく、赤の波長の光量が高い表示であれば視認性も保つことができることが知られている。暗所では暗順応をしないと視認性が低くなり、特に撮影においては暗順応しないと撮影結果に影響を及ぼすことがある。よって、暗所においては暗順応がとけにくい暗所表示（赤色表示）をすると画面の表示が見やすくなる。このような暗所表示のための処理を暗所表示処理と称するものとする。本実施形態において暗所表示処理は、もともとの画像の各画素におけるＲＧＢ成分から表示の全体の色彩が赤色に近づくように、Ｂ成分の明度を画素ごとに０にするＲＧＢ信号処理である。ただし、表示アイテム等の予め決まっている表示の場合にはＢ成分を低減させる処理を施さなくてもよく、暗所表示用に表示アイテムをメモリ１０２に記録しておき、暗所表示でない場合に表示する表示アイテムと置き換えて表示してもよい。これも暗所表示処理の１つであるものとする。Ｂ成分は、ＲＧＢ成分の中で最も暗順応を妨げる要因となる色彩であるためＢ成分を低くするとよい。なお、上述した暗所表示処理は一例であり、必ずしもＢ成分を０にしなくても５や１０といった値に低減させてもよいし、Ｇ成分も共に低い値にしてもよい。
【００２６】
図２に本発明の表示制御装置の一例としてのデジタルカメラ１００の外観図を示す。背面表示部２８はファインダ表示部１０５と同様に画像や各種情報を表示する表示部である。シャッターボタン６１は撮影指示を行うための操作部である。モード切替スイッチ６０は各種モードを切り替えるための操作部である。モードには撮影モードや表示設定のモード等がある。撮影モードには星空撮影モードや夜景を撮影する夜景撮影モード等の暗所での撮影を前提として撮影モードや、明るい室内で撮影をする室内撮影モードや明るい野外で撮影するための撮影モード等がある。また、表示設定のモードには、文字の大きさを設定する文字設定やファインダ表示部の表示に関する暗所表示設定等がある。モード切替スイッチ６０への操作もしくは、メニュー画面における選択操作によってモード選択可能（表示モード切替可能）である。操作部７０はユーザからの各種操作を受け付ける各種スイッチ、ボタン、タッチパネル等の操作部材より成る操作部である。操作部７０の各操作部材は、背面表示部２８またはファインダ表示部１０５に表示される種々の機能アイコン（表示アイテム）を選択操作することなどにより、場面ごとに適宜機能が割り当てられ、各種機能ボタンとして作用する。機能ボタンとしては、例えば再生ボタン７４、メニューボタン７５、戻るボタン７６等がある。例えば、メニューボタン７５が押されると各種の設定可能なメニュー画面が背面表示部２８またはファインダ表示部１０５に表示される。利用者は、背面表示部２８に表示されたメニュー画面と、上下左右の４方向ボタンやＳＥＴボタン７７とを用いて直感的に各種設定を行うことができる。コントローラホイール７３は操作部７０に含まれる回転操作可能な操作部材である。電源部３０は、電源オン、電源オフを切り替えるための押しボタンである。
【００２７】
ファインダユニット２００には、表示切替ボタン２０１とファインダユニット２００内部にはファインダ表示部１０５（ファインダ内表示部）が設けられる。ファインダユニット２００の観察部２０２（接眼部）を覗きこむと、ユーザはファインダユニット２００内にあるファインダ表示部１０５をみることができる（視認可能）。表示切替ボタン２０１は表示する画面（表示先）を切り替えるためのボタンである。暗所表示設定がＯＦＦの場合には表示切替ボタン２０１への押下に応じて（切替え指示を受付けたことに応じて）ファインダ表示部１０５と背面表示部２８とへの表示の切り替えが可能である（表示を行う表示部の制御可能）。
【００２８】
接眼検知部１１３は、ファインダユニット２００上の、観察部２０２側に設置され、ユーザがファインダユニット２００の観察部２０２を覗こうとしている（近づいている）こと、観察部２０２に近づいた状態から離れていくことを検知することができる。
【００２９】
電源部３０は、デジタルカメラ１００の側面に設けられユーザからの電源のＯＮとＯＦＦを受け付けることができる。電源部３０がＯＦＦにされるとデジタルカメラ１００の電源もＯＦＦになる。
【００３０】
照度計測部５７は、デジタルカメラ１００がある環境周辺の照度を計測可能な照度センサである。
【００３１】
本実施形態においては、背面表示部２８の光学輝度は、照度計測部５７によって検出された周囲の照度に応じてシステム制御部５０が明るくしたり暗くしたりするように制御する。周囲の照度が明るければ光学輝度も明るく、周囲の照度が暗ければ光学輝度も暗くなるように制御する。
【００３２】
暗所表示設定について説明する。暗所表示設定は、暗所において暗順応を妨げるのを低減させるための表示の設定（暗所表示の設定）であり、暗所表示は青色成分の明度を低減させる暗所表示処理を施すことにより行われる。また、暗所等において背面表示部２８にライブビュー画面や設定項目画面等が表示されてしまうと背面表示部２８からの光が周囲に好ましくない影響を及ぼす可能性がある。暗所表示設定がＯＮにされると、ファインダ表示部１０５には表示をするが背面表示部２８には警告以外は表示しない。また、ファインダ表示部１０５においては、表示アイテムの表示（画像以外）が暗所表示される。暗所表示設定がＯＦＦの場合にはファインダ表示部１０５へのユーザの接眼検知もしくは接眼した状態からユーザの目が離れたことの検知（接眼検知）に応じて、ファインダ表示部１０５と背面表示部２８とのどちらを表示先とするかを切り替える。暗所表示設定がＯＮの場合には接眼検知しなくなったことに応じて、ファインダ表示部１０５から背面表示部２８への表示の切り替えは行わない。暗所表示設定（暗所表示モード設定）がＯＮであるかＯＦＦであるかの情報は不揮発性メモリ１０３に記憶される。
【００３３】
図３のフローチャートを用いて、本実施形態における表示先切替えについて説明する。この表示先切替えのフローはデジタルカメラ１００に電源が入り、背面表示部２８またはファインダ表示部１０５の少なくともいずれか一方への表示が可能になると開始する。この処理は、不揮発性メモリ１０３に記録されたプログラムをシステムメモリ５２に展開してシステム制御部５０が実行することで実現する。フローの開始時にはシステムメモリ５２に記憶されているフラグＡは０とする。
【００３４】
Ｓ３０１では、システム制御部５０は、不揮発性メモリ１０３に記憶された設定情報を参照し、暗所表示設定がＯＮであるか否か否かを判定する。ＯＮであると判定した場合は、Ｓ３０２へ進み、そうでない場合は、Ｓ３３３へ進む。
【００３５】
Ｓ３０２では、システム制御部５０は、ファインダユニット２００がデジタルカメラ１００の本体についているか否かを判定する。ついている（装着されている、接続されている）と判定した場合は、Ｓ３０３へ進み、そうでない場合は、Ｓ３２８へ進む。
【００３６】
Ｓ３０３では、システム制御部５０は、ユーザが接眼していない期間が所定時間ＴＡ継続したかを判定するために、時間Ｔαの計測を開始する。既に開始していた場合はリセットして改めて開始する。
【００３７】
Ｓ３０４では、システム制御部５０は、接眼を検知したか否かを判定する。ここで、接眼検知部１１３によって、何らかの物体が近付いていること（接眼検知部１１３から所定の距離以内に物体があること）を検知すると接眼していると判定する。接眼していると判定した場合は、Ｓ３０５へ進み、そうでない場合は、Ｓ３１２へ進む。
【００３８】
Ｓ３０５では、システム制御部５０は、撮像部１１２から得られたライブビュー画像及び撮影情報などの表示アイテムをファインダ表示部１０５に表示する。図５（ａ）に示すようなライブビュー画像５０１と撮影に関する情報を示す設定表示５０７、５０８をファインダ表示部１０５に表示する。ライブビュー画像５０１は星空を含む夜景を示しており、暗所における撮影が行われている場合のライブビュー画像である。図５は本実施形態におけるファインダ表示部１０５と背面表示部２８の表示の一例を示している。ライブビュー画像５０１は暗所表示処理を施さずにそのまま表示する。暗所表示設定がＯＮである場合には暗所での撮影を行っていると想定されるので、ライブビュー画像５０１も周囲の明度に応じて暗い画像となる。そのため、暗所表示処理を施さずにそのまま表示しても暗順応を妨げることはないと想定される。一方、設定表示５０７、５０８等の撮影情報を示す表示アイテムは、暗所表示設定がＯＮであるため、暗所表示処理を施して表示する。
【００３９】
Ｓ３０６では、システム制御部５０は、システムメモリ５２に記憶しているフラグＡ＝１であるか否かを判定する。フラグＡ＝１であると判定された場合には、Ｓ３０７へ進み、そうでない場合は、Ｓ３０９へ進む。フラグＡは、ユーザが暗所表示設定ＯＮの場合にファインダ表示部１０５にしか基本的に表示が行われないことを認識しているか否かの想定結果（判定結果）を示すフラグである。フラグはＡ＝０、１、２のいずれかとしてシステムメモリ５２に記憶される。フラグＡ＝１の場合は接眼を検知したことに応じて、暗所表示設定について説明をするための警告（通知）を行い、フラグＡ＝２の場合はユーザがファインダ表示部１０５を（見ていないと想定される時に）見るように促す警告を行う。ユーザが暗所表示設定をＯＮに設定したにも関わらず、所定時間以上（連続した所定期間）ファインダ表示部１０５を見ていない（ファインダユニット２００を覗く動作をしていない）と判定した場合にフラグＡ＝１または２になる。フラグＡ＝２になった後に、暗所表示設定がＯＮのまま所定時間以上ユーザがファインダ表示部１０５を見ていないと判定した場合にはフラグＡ＝１になる。フラグＡの値がいずれになるかについての詳細は後述する。
【００４０】
Ｓ３０７では、システム制御部５０は、ファインダ表示部１０５に警告（第１の警告）を３秒間表示する。図５（ｂ）に示すように、第１の警告は暗所表示設定中には背面表示部２８への表示は行わないことを示す警告であり、警告表示５０３をファインダ表示部１０５に表示することで行う。Ｓ３０７では、Ｓ３０４においてユーザからの接眼を検知した後の表示であり、ユーザがファインダ表示部１０５を見ていると想定されるが警告を表示する。これは、Ｓ３０６においてフラグＡ＝１であると判定されたため、ユーザが暗所表示設定ＯＮの場合にはファインダ表示部１０５にしか画像の表示が行われないということに気づいていない可能性があるためである。また、暗所表示設定がＯＮの時は暗所においてユーザが撮影や操作を行っている可能性が高いので、警告表示５０３は暗所表示処理を施して表示する。また、ファインダ表示部１０５における警告表示５０３は他の表示の邪魔をしない程度に大きく表示することで、ユーザが警告表示５０３に気づきやすくなる。Ｓ３０５と同じように、図５（ｂ）に示す設定表示５０７、５０８等のライブビュー画像ではない表示アイテムは暗所表示処理を施したものを表示する。
【００４１】
Ｓ３０８では、システム制御部５０は、フラグＡ＝０にしてシステムメモリ５２に記憶する。Ｓ３０７において警告表示５０３によりユーザへファインダ表示部１０５にのみしか表示しないことを警告した（ユーザが認識したと想定される）ので、フラグＡ＝０とする。
【００４２】
Ｓ３０９では、システム制御部５０は、暗所表示設定がＯＮからＯＦＦへ変更されたか否かを判定する。暗所表示設定がＯＮからＯＦＦへ変更されたと判定した場合には、不揮発性メモリ１０３の設定情報を、暗所表示設定ＯＮを示すように書き変えて、Ｓ３３３へ進み、そうでない場合は、Ｓ３１０へ進む。図４には暗所表示設定画面４０１及び４０４を示す。図４（ａ）の暗所表示設定画面４０１は、暗所表示設定がＯＦＦにされた場合のファインダ表示部１０５もしくは背面表示部２８の暗所表示設定画面の一例を示したものである。図４（ｂ）の暗所表示設定画面４０４は、暗所表示設定がＯＮにされた場合のファインダ表示部１０５の暗所表示設定画面の一例を示したものであり、暗所表示設定がＯＮなので暗所表示処理が施されて表示される。暗所表示設定のＯＮとＯＦＦは、ユーザ操作により切替可能である。操作部７０の操作によってメニュー画面が表示され、マニュー項目の１つである暗所表示設定から図４（ａ）または（ｂ）の表示をさせ、上下キーの操作によってＯＮとＯＦＦを切り替えられる。
【００４３】
Ｓ３１０では、システム制御部５０は、ファインダユニット２００が外されたか否かを判定する。外されたと判定した場合は、Ｓ３２８へ進み、そうでない場合は、Ｓ３１１へ進む。
【００４４】
Ｓ３１１では、システム制御部５０は、表示切替ボタン２０１が押下されたか否かを判定する。押下されたと判定した場合は、Ｓ３０７へ進み、そうでない場合は、Ｓ３２７へ進む。暗所表示設定ＯＮなので、ファインダ表示部１０５から背面表示部２８への表示切り替えないので、表示切替ボタン２０１が押下された場合には、Ｓ３０７に進み第１の警告を表示し、表示切り替えできない（背面表示部２８に表示をしない）ことをユーザに示す。
【００４５】
Ｓ３１２では、システム制御部５０は、Ｓ３０３において計測開始した時間Ｔαが所定時間ＴＡ経過したか否か（接眼を検知していない期間が所定時間ＴＡに達したか否か）を判定する。ここで所定時間ＴＡとは１０秒や１５秒等の時間の長さである。所定時間ＴＡ経過したと判定した場合は、Ｓ３１５へ進み、そうでない場合は、Ｓ３１３へ進む。ここで、ファインダ表示部１０５にライブビュー画像が表示されている場合にはライブビュー画像（及び他の表示アイテム）を非表示にする。
【００４６】
Ｓ３１３〜Ｓ３１４は、Ｓ３１０〜Ｓ３１１と同様の処理を行う。なお、Ｓ３１４でＮＯと判定された場合は、Ｓ３０４に進む。
【００４７】
Ｓ３１５では、システム制御部５０は、フラグＡ＝２にしてシステムメモリ５２に記憶する。Ｓ３１２において所定時間ＴＡ経過した（接眼が所定期間検知されなかった）と判定されたので、所定時間ＴＡユーザがファインダ表示部１０５を見ておらず、ユーザはファインダ表示部１０５にのみしか表示できないことを認識していない可能性が高い。よって、暗所表示設定がＯＮの場合には、ファインダ表示部１０５にライブビュー画像（及びその他の表示アイテム）が表示されることをユーザに気づかせるための警告（第２の警告）を表示するためにフラグＡ＝２にする。
【００４８】
Ｓ３１６では、システム制御部５０は、ファインダ表示部１０５に警告（第２の警告）を表示する。Ｓ３１６では、Ｓ３０７とは異なり接眼検知していない（ユーザがファインダ表示部１０５を見ていないと想定される）状態で警告を表示するので、図５（ｃ）の警告表示５０６のように暗所表示処理を施さずに警告を表示する。これはユーザが観察部２０２から目を離していても気付くよう、より目立つようにするためである。警告表示５０６は警告表示５０３よりもファインダ表示部１０５において大きく、ファインダ表示部１０５を覗いていなくてもユーザが表示に気づくようにする。より目立つ色で表示してもよい。ただし、ユーザの接眼を検知したことに応じて警告表示５０６を非表示し、ユーザが暗所表示処理していない表示を直接見る可能性を低減させ、暗順応が阻害される可能性を低減させる。このようにフラグＡ＝２である場合には、フラグＡ＝１（Ｓ３０７）の場合と異なり接眼を検知していなくてもファインダ表示部１０５に警告表示を行う。
【００４９】
Ｓ３１７では、システム制御部５０は、警告を表示してもユーザが接眼していない期間が更に続いているかを判定するための時間Ｔβの計測を開始する。
【００５０】
Ｓ３１８では、システム制御部５０は、Ｓ３０４と同様に、接眼を検知したか否かを判定する。接眼していると判定した場合は、Ｓ３２３へ進み、そうでない場合は、Ｓ３１９へ進む。
【００５１】
Ｓ３１９では、システム制御部５０は、Ｓ３１７において計測開始した時間Ｔβが所定時間ＴＢ経過したか否かを判定する。ここで所定時間ＴＢとは５秒や１０秒等の時間の長さである。所定時間ＴＢ経過したと判定した場合は、Ｓ３２２へ進み、そうでない場合は、Ｓ３２０へ進む。
【００５２】
Ｓ３２０〜Ｓ３２１は、Ｓ３１０〜Ｓ３１１と同様の処理を行う。なお、Ｓ３２１でＹＥＳと判定された場合はＳ３２２に進み、そうでない場合はＳ３１９に進む。
【００５３】
Ｓ３２２では、システム制御部５０は、Ｓ３１６において表示した警告表示５０６を非表示にし、フラグＡ＝１にする。Ｓ３１６〜Ｓ３１９にかけて警告表示５０６を所定時間ＴＢの期間表示したが、接眼を検知しなかったので、ユーザが被写体を直接観察している可能性や表示を確認する必要がない可能性がある。よって、フラグＡ＝２からフラグＡ＝１にする。なお、Ｓ３２２になった後にはユーザからの操作や接眼を検知するまで次のステップに進まない（Ｓ３１６において再び警告を表示しない）ようにしてもよい。Ｓ３２２の処理を行った回数をカウントし、２回等の所定回数連続してＳ３２２の処理を行ったことに応じて、次のステップに進まないようにしてもよい。
【００５４】
Ｓ３２３では、システム制御部５０は、Ｓ３０５と同様に撮像部１１２から得られたライブビュー画像をファインダ表示部１０５に表示する。
【００５５】
Ｓ３２４では、システム制御部５０は、Ｓ３１６において表示した警告表示５０６を非表示にし、暗所表示処理を施した第１の警告を表示する。Ｓ３１６で説明したように、警告表示５０６は暗所表示処理をしていないので、接眼を検知したことに応じて非表示にすることで暗順応が阻害される可能性を低減させる。また、ここでＳ３０７において表示した第１の警告を表示する。
【００５６】
Ｓ３２５〜Ｓ３２６は、Ｓ３０８〜Ｓ３０９と同様の処理を行う。
【００５７】
Ｓ３２７では、システム制御部５０は、終了操作があったか否かを判定する。終了操作があったと判定した場合は、ファインダ表示部１０５への表示をやめる。そうでない場合は、Ｓ３０３へ戻る。終了操作とは、電源部３０をＯＦＦする操作や電池が切れてしまい、ファインダ表示部１０５への表示ができない状態である場合に終了操作がされたものと判定する。
【００５８】
Ｓ３２８では、システム制御部５０は、背面表示部２８に警告（第３の警告）を表示する。図５（ｄ）に示すように、ファインダユニット２００をデジタルカメラ１００につけることを促す警告表示５０５を背面表示部２８に表示する。Ｓ３２８では、ファインダユニット２００がデジタルカメラ１００の本体についていないにも関わらず、暗所表示設定がＯＮになっているので、表示先がない状態である。暗所表示設定がＯＮの場合に背面表示部２８に表示するのは、この警告表示５０５のみであり、警告表示５０５は暗所表示処理を施されて表示される。警告表示５０５は、警告表示５０３、５０６のようにユーザがすぐ認識できるようにファインダ表示部１０５に大きく表示するのではなく、背面表示部２８の下辺に小さく表示する。また、背面表示５０４のうち警告表示５０５以外の領域は黒色になり光をあまり発しないようにするか、警告表示５０５以外の領域については表示パネルをＯＦＦする。このようにすることで、例えばファインダユニット２００がユーザの意図に反して外れてしまった場合やファインダユニット２００を付け替える時に不用意に背面表示部２８へ表示が行われることがない。このように本実施形態では、暗所表示設定がＯＮの場合は、背面表示部２８へ最低限（背面表示部２８しか表示ができなくなったが、表示が必要な場合）のみしか表示しないようにする。
【００５９】
Ｓ３２９では、システム制御部５０は、ファインダユニット２００をつけるまでの時間Ｔγの計測を開始する。
【００６０】
Ｓ３３０では、システム制御部５０は、ファインダユニット２００がデジタルカメラ１００の本体に装着されたか否かを判定する。装着されたと判定された場合は、Ｓ３３１へ進み、そうでない場合は、Ｓ３３２へ進む。
【００６１】
Ｓ３３１では、システム制御部５０は、背面表示部２８への警告表示を非表示にする。ファインダユニット２００がデジタルカメラ１００の本体に装着されたので、警告表示５０５を行う必要はない。また、暗所表示設定ＯＮの状態で、ファインダユニット２００がデジタルカメラ１００の本体に装着されたので、Ｓ３０３へと戻る。
【００６２】
Ｓ３３２では、システム制御部５０は、時間Ｔγが所定時間ＴＣ経過したか否かを判定する。所定時間は例えば１分や３分といった時間である。所定時間ＴＣ経過したと判定した場合は、電源をＯＦＦにし、そうでない場合は所定時間ＴＣ経過するまでファインダユニット２００がデジタルカメラ１００の本体につけられるのを待つ。所定時間ＴＣが経過する前にユーザはファインダユニット２００または他のファインダユニット２００にあたるものをデジタルカメラ１００の本体につければよい。また、ファインダユニット２００でなくても外部出力をするような設定を行ってもよい。つまり、デジタルカメラ１００から離れた位置にあるパネル等の表示部へライブビュー画像や設定画面等を表示できるように設定した場合でもよい。ファインダユニット２００でなくても、離れた位置にある表示部であれば表示を行ってもデジタルカメラ１００の周囲には光がもれる可能性が低い。また、外部の表示部へ表示する場合には、表示アイテムを暗所表示しなくてもよい。この場合、外部の表示部に対しての表示制御をしている状態であることを検知（表示検知）した場合には、ファインダユニット２００がデジタルカメラ１００の本体についているものとして処理を行う。また、外部の表示部に対して表示制御をしていない状態である場合には、ファインダユニット２００がデジタルカメラ１００の本体についていないものとして処理を行う。
【００６３】
Ｓ３３３は、Ｓ３０２と同様の処理を行う。
【００６４】
Ｓ３３４〜Ｓ３３５は、Ｓ３０４〜Ｓ３０５と同様の処理を行う。ただし、Ｓ３３５は暗所表示設定ＯＦＦの場合を示しているので、表示アイテム（図５（ａ）においては設定表示５０７、５０８）は暗所表示処理を施さずに表示する。
【００６５】
Ｓ３３６では、システム制御部５０は、暗所表示設定がＯＦＦからＯＮへ変更されたか否かを判定する。暗所表示設定がＯＦＦからＯＮへ変更されたと判定した場合には、不揮発性メモリ１０３の設定情報を、暗所表示設定ＯＮを示すように書き変えてＳ３０２へ戻り、そうでない場合はＳ３３７へ進む。
【００６６】
Ｓ３３７では、システム制御部５０は、Ｓ３１０と同様にファインダユニット２００が外されたか否かを判定する。外されたと判定した場合は、Ｓ３４４へ進み、そうでない場合は、Ｓ３３８へ進む。
【００６７】
Ｓ３３８では、システム制御部５０は、Ｓ３１１と同様に表示切替ボタン２０１が押下されたか否かを判定する。押下されたと判定した場合は、Ｓ３４４へ進み、そうでない場合は、Ｓ３３４へ戻る。
【００６８】
Ｓ３３９では、システム制御部５０は、背面表示部２８にライブビュー画像を表示する。Ｓ３３９では、撮像部１１２で得られた画像に暗所表示処理を施さずにライブビュー画像として表示する。また、暗所表示設定がＯＦＦになっているので表示アイテム（図５（ａ）においては設定表示５０７、５０８）は暗所表示処理を施さずに表示する。
【００６９】
Ｓ３４０は、Ｓ３３６と同様の処理を行う。背面表示部２８で暗所表示設定がＯＦＦからＯＮに切り替えられた場合は、背面表示部２８に表示中の表示を中止して（非表示にし、何も表示しない）Ｓ３０２に進む。
【００７０】
Ｓ３４１では、システム制御部５０は、Ｓ３１０と同様にファインダユニット２００が外されたか否かを判定する。外されたと判定した場合は、Ｓ３４４へ進み、そうでない場合は、Ｓ３４２へ進む。
【００７１】
Ｓ３４２では、システム制御部５０は、表示切替ボタン２０１が押下されたか否かを判定する。押下されたと判定した場合は、Ｓ３４３へ進み、そうでない場合は、Ｓ３３４へ戻る。Ｓ３４２で表示切替ボタン２０１が押下された場合には、背面表示部２８からファインダ表示部１０５へ表示が切り替わる。
【００７２】
Ｓ３４３では、システム制御部５０は、Ｓ３０５と同様に撮像部１１２から得られたライブビュー画像をファインダ表示部１０５に３０秒間表示する。つまり、Ｓ３４３でファインダ表示部１０５に表示をした後にＳ３４７、Ｓ３３３、Ｓ３３４の順に進んだとしてもライブビュー画像の表示後３０秒間は接眼検知をしない。つまり、３０秒間はユーザがファインダを覗かなくても（接眼検知しなくても）ファインダ表示部１０５に表示をする。３０秒経過した後に接眼が検知されない場合には、ユーザが誤って表示切替ボタン２０１を押下してしまった可能性があるので、Ｓ３３９において背面表示部２８に表示を切り替える。
【００７３】
Ｓ３４４では、システム制御部５０は、Ｓ３３９と同様に背面表示部２８にライブビュー画像を表示する。ただし、暗所表示設定がＯＦＦになっているので設定表示５０７、５０８は暗所表示処理を施さずに表示する。
【００７４】
Ｓ３４５では、システム制御部５０は、Ｓ３３６と同様に暗所表示設定がＯＦＦからＯＮへ変更されたか否かを判定する。暗所表示設定がＯＦＦからＯＮへ変更されたと判定した場合には、不揮発性メモリ１０３の設定情報を、暗所表示設定ＯＮを示すように書き変えてＳ３４６へ進み、そうでない場合は、Ｓ３４７へ進む。
【００７５】
Ｓ３４６では、システム制御部５０は、背面表示部２８へのライブビューの表示を非表示にして、Ｓ３２８へ進む。ファインダユニット２００が外された状態で、暗所表示設定がＯＮにされたのでＳ３２８において警告（第３の警告）を表示する。
【００７６】
Ｓ３４７では、システム制御部５０は、Ｓ３２７と同様に終了操作があったか否かを判定する。終了操作があったと判定した場合は、背面表示部２８とファインダ表示部１０５への表示をやめる。もしくは、電源をＯＦＦにする。そうでない場合は、Ｓ３３３へ戻る。
【００７７】
以上、説明した実施形態によれば、暗所表示設定をＯＮにすることで背面表示部２８への表示を不用意に行わないので、暗所において表示を行う際の周囲から見える表示部に不用意に表示が行われることを防止できる。また、暗所において表示を行う場合に、表示部からの光が周囲に与える影響を低減させることができる。暗所で行う撮影において、接眼を検知しなくなったことや表示先の切替が指示されたとしても、暗所表示設定がＯＮの場合にはライブビュー画像等の画像や表示アイテムを背面表示部２８に表示しないようにする。よって、背面表示部２８からの光が出ることがなく、周囲に好ましくない影響を与えない（周囲の人に迷惑をかけない、撮影対象に逃げられない）。また、ユーザはファインダ表示部１０５より表示を確認することができ、暗所表示設定をＯＮにすると暗順応を妨げる可能性を低減させた暗所表示を行うので暗順応を妨げる可能性も低減させることができる。暗所表示設定をＯＮにすれば、ファインダユニット２００を外さない限り、ユーザは背面表示部２８へ表示がされないように注意する必要性がなくなる。ユーザが誤って背面表示部２８への表示指示をしてしまった場合にも背面表示部２８への表示はされない。
【００７８】
また、Ｓ３４０において暗所表示設定がＯＦＦからＯＮに切り替えられた場合には、背面表示部２８はＯＦＦになり、ファインダ表示部１０５へ切り替わる。
【００７９】
ユーザは暗所表示設定をＯＮにすることで、ファインダ表示部１０５を覗いた時にライブビュー画像や設定画面を確認できるので、撮影の操作性や視認性は低減しない。
【００８０】
ユーザが暗所表示設定をＯＮにしたが、ユーザが暗所表示設定ＯＮであることを認識していないと想定される場合には、第１の警告と第２の警告で表示する警告を分け、不用意に警告の表示によりユーザの暗順応が阻害されないようにする。
【００８１】
なお、上述の実施形態においては、ユーザの操作に応じて暗所表示設定をＯＮまたはＯＦＦする者としたが、これに限らす暗所表示設定を行いようにしてもよい。例えば照度計測部５７または撮像部１１２でデジタルカメラ１００の周囲が暗所になったと検知したこと（照度が３０ルクス等の所定未満になったことを検知したこと）に応じて暗所表示設定がＯＮになるようにしてもよい。さらに、撮影モードが星空撮影や夜景撮影といった暗所における撮影モードに設定された（撮影モード選択された）場合に暗所表示設定を自動的にＯＮにするようにしてもよい。また、暗所でなくても周囲に表示を見せたくないような場合にも暗所表示設定は有効である。また、人物を含めて撮影を行うときやフラッシュをたいて撮影をするとき等の、周囲に光がもれてもよいような設定または操作が行われた際には暗所表示設定をＯＦＦにしてもよい。
【００８２】
また、ライブビュー画像は暗所表示処理せずに表示をすると説明したが、ライブビュー画像でもＢ成分の明度が所定以上である場合や、再生画像については、暗所表示処理を施した画像を表示してもよい。
【００８３】
なお、表示制御装置の制御は１つのハードウェアが行ってもよいし、複数のハードウェアが処理を分担することで、装置全体の制御を行ってもよい。
【００８４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８５】
また、上述した実施形態においては、本発明をデジタルカメラ１００に適用した場合を例にして説明したが、これはこの例に限定されず複数箇所の表示部への表示を制御することのできるような表示制御装置であれば適用可能である。すなわち、本発明はファインダを含む複数の表示部がある携帯電話端末や携帯型の画像ビューワ、ゲーム機、電子ブックリーダーなどに適用可能である。
【００８６】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2016127498.tif 000003
【図２】
2016127498.tif 000004
【図３】
2016127498.tif 000005
【図４】
2016127498.tif 000006
【図５】
2016127498.tif 000007
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
接眼部を介して視認可能なファインダ内に設けられた第一の表示部と、
前記ファインダの外に設けられた第二の表示部と、
前記第一の表示部への物体の接近を検知する検知手段と、
暗所に適した表示をする暗所表示モードに設定する設定手段と、
前記暗所表示モードに設定されていない場合には、前記検知手段によって物体の前記第一の表示部への接近が検知されなくなったことに応じて前記第二の表示部への表示を行い、
前記暗所表示モードに設定されている場合には、前記検知手段によって物体の前記第一の表示部への接近が検知されなくなっても前記第二の表示部への表示を行わないように制御する制御手段とを有することを特徴とする表示制御装置。
【請求項２】
接眼部を介して視認可能なファインダ内に設けられた第一の表示部と、
前記ファインダの外に設けられた第二の表示部と、
暗所に適した表示をする暗所表示モードに設定する設定手段と、
表示先を前記第二の表示部へ切り替える操作を受け付ける受付手段と、
前記暗所表示モードに設定されていない場合には、前記受付手段により前記操作を受け付けたことに応じて前記第二の表示部への表示を行い、
前記暗所表示モードに設定されている場合には、前記操作があっても前記第二の表示部への表示を行わないように制御する制御手段とを有することを特徴とする表示制御装置。
【請求項３】
表示先を前記第二の表示部へ切り替える操作を受け付ける受付手段をさらに有し、
前記制御手段は、前記暗所表示モードに設定されていない場合には、前記受付手段により前記操作を受け付けたことに応じて前記第二の表示部への表示を行い、
前記暗所表示モードに設定されている場合には、前記操作があっても前記第二の表示部への表示を行わないように制御することを特徴とする請求項１に記載の表示制御装置。
【請求項４】
照度を計測する照度手段をさらに有し、
前記設定手段は、前記照度手段により計測された照度が所定の明るさ未満になったことに応じて、前記暗所表示モードに設定することを特徴とする請求項１乃至３のいずれか１項に記載の表示制御装置。
【請求項５】
前記設定手段は、ユーザの指示に応じて前記暗所表示モードへ設定することを特徴とする請求項１乃至４のいずれか１項に記載の表示制御装置。
【請求項６】
前記制御手段は、前記暗所表示モードに設定されている場合に、表示アイテムの青色成分を低減させて表示するように制御することを特徴とする請求項１乃至５のいずれか１項に記載の表示制御装置。
【請求項７】
前記制御手段は、前記暗所表示モードに設定されている場合に、前記第一の表示部及び前記第二の表示部の輝度を低減させて表示するように制御することを特徴とする請求項１乃至６のいずれか１項に記載の表示制御装置。
【請求項８】
前記制御手段は、前記検知手段によって物体の接近を検知していない期間に応じて、前記第一の表示部に、前記第二の表示部に表示を行わないことを示す警告を表示するように制御することを特徴とする請求項１乃至７のいずれか１項に記載の表示制御装置。
【請求項９】
前記制御手段は、前記暗所表示モードに設定されている場合に、前記検知手段によって物体の接近を第一の期間検知しなかったことに応じて、前記第一の表示部に、前記第二の表示部に表示を行わないことを示す警告を表示するように制御することを特徴とする請求項１乃至８のいずれか１項に記載の表示制御装置。
【請求項１０】
前記制御手段は、前記暗所表示モードに設定されている場合に、前記検知手段によって物体の接近を第二の期間検知しなかったことに応じて、前記第一の表示部に表示されていた前記第二の表示部に表示を行わないことを示す警告を非表示にするように制御することを特徴とする請求項１乃至９のいずれか１項に記載の表示制御装置。
【請求項１１】
前記制御手段は、前記暗所表示モードに設定されている場合に、前記検知手段によって物体の接近を前記第二の期間検知しなかった後に、物体の検知がされたことに応じて、前記第一の表示部に、前記第二の表示部に表示を行わないことを示す警告を表示するように制御することを特徴とする請求項１乃至１０のいずれか１項に記載の表示制御装置。
【請求項１２】
前記制御手段は、前記暗所表示モードに設定されている場合に、前記第一の表示部に前記第二の表示部に表示を行わないことを示す警告を前記検知手段によって物体の接近を第一の期間検知しなかったことに応じて表示する場合は、暗所表示処理を施さずに表示し、前記検知手段によって物体の接近を第二の期間検知しなかった後に、物体の検知がされたことに応じて表示する場合は、前記第二の表示部に表示を行わないことを示す警告を暗所表示処理を施して表示するように制御することを特徴とする請求項１乃至１１のいずれか１項に記載の表示制御装置。
【請求項１３】
前記制御手段は、前記暗所表示モードに設定されている場合に、前記第一の表示部を含むファインダユニットが取り外されたことに応じて、前記第二の表示部に、ファインダに表示ができないことを示す警告を表示するように制御することを特徴とする請求項１乃至１２のいずれか１項に記載の表示制御装置。
【請求項１４】
前記制御手段は、前記暗所表示モードに設定されたことに応じて、前記第二の表示部への表示をしないようにし、前記第二の表示部から前記第一の表示部へ表示を切り替えるように制御することを特徴とする請求項１乃至１３のいずれか１項に記載の表示制御装置。
【請求項１５】
接眼部を介して視認可能なファインダ内に設けられた第一の表示部と、
前記ファインダの外に設けられた第二の表示部とを有する表示制御装置を制御する制御方法であって、
前記第一の表示部への物体の接近を検知する検知ステップと、
暗所に適した表示をする暗所表示モードに設定する設定ステップと、
前記暗所表示モードに設定されていない場合には、前記検知ステップにおいて物体の前記第一の表示部への接近が検知されなくなったことに応じて前記第二の表示部への表示を行い、
前記暗所表示モードに設定されている場合には、前記検知ステップにおいて物体の前記第一の表示部への接近が検知されなくなっても前記第二の表示部への表示を行わないように制御する制御ステップとを有することを特徴とする表示制御装置の制御方法。
【請求項１６】
接眼部を介して視認可能なファインダ内に設けられた第一の表示部と、
前記ファインダの外に設けられた第二の表示部とを有する表示制御装置を制御する制御方法であって、
暗所に適した表示をする暗所表示モードに設定する設定ステップと、
表示先を前記第二の表示部へ切り替える操作を受け付ける受付ステップと、
前記暗所表示モードに設定されていない場合には、前記受付ステップにおいて前記操作を受け付けたことに応じて前記第二の表示部への表示を行い、
前記暗所表示モードに設定されている場合には、前記操作があっても前記第二の表示部への表示を行わないように制御する制御ステップとを有することを特徴とする表示制御装置の制御方法。
【請求項１７】
コンピュータを、請求項１乃至１４のいずれか１項に記載された表示制御装置の各手段として機能させるためのプログラム。
【請求項１８】
コンピュータを、請求項１乃至１４のいずれか１項に記載された表示制御装置の各手段として機能させるためのプログラムを格納したコンピュータが読み取り可能な記録媒体。
【手続補正２】
【補正対象書類名】明細書
【補正対象項目名】００１０
【補正方法】変更
【補正の内容】
【００１０】
上記目的を達成するために、本発明の表示制御装置は、接眼部を介して視認可能なファインダ内に設けられた第一の表示部と、前記ファインダの外に設けられた第二の表示部と、前記第一の表示部への物体の接近を検知する検知手段と、暗所に適した表示をする暗所表示モードに設定する設定手段と、前記暗所表示モードに設定されていない場合には、前記検知手段によって物体の前記第一の表示部への接近が検知されなくなったことに応じて前記第二の表示部への表示を行い、前記暗所表示モードに設定されている場合には、前記検知手段によって物体の前記第一の表示部への接近が検知されなくなっても前記第二の表示部への表示を行わないように制御する制御手段とを有することを特徴とする。
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
接眼部を介して視認可能なファインダ内に設けられた第一の表示部と、
前記ファインダの外に設けられた第二の表示部と、
前記第一の表示部への物体の接近を検知する検知手段と、
表示する色彩を暗所用の色彩にする暗所表示モードに設定する設定手段であって、前記第二の表示部に表示をしておらず、前記第一の表示部に表示をしている時に、前記暗所表示モードに切り替える場合、前記第二の表示部に表示先を切り替えずに前記暗所表示モードに切り替える設定手段と、
前記暗所表示モードに設定されていない場合には、前記検知手段によって物体の前記第一の表示部への接近が検知されなくなったことに応じて前記第二の表示部への表示を行い、
前記暗所表示モードに設定されている場合には、前記検知手段によって物体の前記第一の表示部への接近が検知されなくなっても前記第二の表示部への表示を行わないように制御する制御手段とを有することを特徴とする表示制御装置。
【請求項２】
接眼部を介して視認可能なファインダ内に設けられた第一の表示部と、
前記ファインダの外に設けられた第二の表示部と、
暗所に適した表示をする暗所表示モードに設定する設定手段と、表示先を前記第二の表示部へ切り替える操作を受け付ける受付手段と、前記暗所表示モードに設定されていない場合には、前記受付手段により前記操作を受け付けたことに応じて前記第二の表示部への表示を行い、
前記暗所表示モードに設定されている場合には、前記操作があっても前記第二の表示部への表示を行わないように制御する制御手段とを有することを特徴とする表示制御装置。
【請求項３】
表示先を前記第二の表示部へ切り替える操作を受け付ける受付手段をさらに有し、
前記制御手段は、前記暗所表示モードに設定されていない場合には、前記受付手段により前記操作を受け付けたことに応じて前記第二の表示部への表示を行い、
前記暗所表示モードに設定されている場合には、前記操作があっても前記第二の表示部への表示を行わないように制御することを特徴とする請求項１に記載の表示制御装置。
【請求項４】
照度を計測する照度手段をさらに有し、
前記設定手段は、前記照度手段により計測された照度が所定の明るさ未満になったことに応じて、前記暗所表示モードに設定することを特徴とする請求項１乃至３のいずれか１項に記載の表示制御装置。
【請求項５】
前記設定手段は、ユーザの指示に応じて前記暗所表示モードへ設定することを特徴とする請求項１乃至４のいずれか１項に記載の表示制御装置。
【請求項６】
前記制御手段は、前記暗所表示モードに設定されている場合に、表示アイテムの青色成分を低減させて表示するように制御することを特徴とする請求項１乃至５のいずれか１項に記載の表示制御装置。
【請求項７】
前記制御手段は、前記暗所表示モードに設定されている場合に、前記第一の表示部及び前記第二の表示部の輝度を低減させて表示するように制御することを特徴とする請求項１乃至６のいずれか１項に記載の表示制御装置。
【請求項８】
前記制御手段は、前記検知手段によって物体の接近を検知していない期間に応じて、前記第一の表示部に、前記第二の表示部に表示を行わないことを示す警告を表示するように制御することを特徴とする請求項１乃至７のいずれか１項に記載の表示制御装置。
【請求項９】
前記制御手段は、前記暗所表示モードに設定されている場合に、前記検知手段によって物体の接近を第一の期間検知しなかったことに応じて、前記第一の表示部に、前記第二の表示部に表示を行わないことを示す警告を表示するように制御することを特徴とする請求項１乃至８のいずれか１項に記載の表示制御装置。
【請求項１０】
前記制御手段は、前記暗所表示モードに設定されている場合に、前記検知手段によって物体の接近を第二の期間検知しなかったことに応じて、前記第一の表示部に表示されていた前記第二の表示部に表示を行わないことを示す警告を非表示にするように制御することを特徴とする請求項１乃至９のいずれか１項に記載の表示制御装置。
【請求項１１】
前記制御手段は、前記暗所表示モードに設定されている場合に、前記検知手段によって物体の接近を前記第二の期間検知しなかった後に、物体の検知がされたことに応じて、前記第一の表示部に、前記第二の表示部に表示を行わないことを示す警告を表示するように制御することを特徴とする請求項１乃至１０のいずれか１項に記載の表示制御装置。
【請求項１２】
前記制御手段は、前記暗所表示モードに設定されている場合に、前記第一の表示部に前記第二の表示部に表示を行わないことを示す警告を前記検知手段によって物体の接近を第一の期間検知しなかったことに応じて表示する場合は、暗所表示処理を施さずに表示し、前記検知手段によって物体の接近を第二の期間検知しなかった後に、物体の検知がされたことに応じて表示する場合は、前記第二の表示部に表示を行わないことを示す警告を暗所表示処理を施して表示するように制御することを特徴とする請求項１乃至１１のいずれか１項に記載の表示制御装置。
【請求項１３】
前記制御手段は、前記暗所表示モードに設定されている場合に、前記第一の表示部を含むファインダユニットが取り外されたことに応じて、前記第二の表示部に、ファインダに表示ができないことを示す警告を表示するように制御することを特徴とする請求項１乃至１２のいずれか１項に記載の表示制御装置。
【請求項１４】
前記制御手段は、前記暗所表示モードに設定されたことに応じて、前記第二の表示部への表示をしないようにし、前記第二の表示部から前記第一の表示部へ表示を切り替えるように制御することを特徴とする請求項１乃至１３のいずれか１項に記載の表示制御装置。
【請求項１５】
接眼部を介して視認可能なファインダ内に設けられた第一の表示部と、
前記ファインダの外に設けられた第二の表示部とを有する表示制御装置を制御する制御方法であって、
前記第一の表示部への物体の接近を検知する検知ステップと、
暗所に適した表示をする暗所表示モードに設定する設定ステップと、
前記暗所表示モードに設定されていない場合には、前記検知ステップにおいて物体の前記第一の表示部への接近が検知されなくなったことに応じて前記第二の表示部への表示を行い、
前記暗所表示モードに設定されている場合には、前記検知ステップにおいて物体の前記第一の表示部への接近が検知されなくなっても前記第二の表示部への表示を行わないように制御する制御ステップとを有することを特徴とする表示制御装置の制御方法。
【請求項１６】
接眼部を介して視認可能なファインダ内に設けられた第一の表示部と、
前記ファインダの外に設けられた第二の表示部とを有する表示制御装置を制御する制御方法であって、
表示する色彩を暗所用の色彩にする暗所表示モードに設定する設定ステップであって、前記第二の表示部に表示をしておらず、前記第一の表示部に表示をしている時に、前記暗所表示モードに切り替える場合、前記第二の表示部に表示先を切り替えずに前記暗所表示モードに切り替える設定ステップと、
表示先を前記第二の表示部へ切り替える操作を受け付ける受付ステップと、
前記暗所表示モードに設定されていない場合には、前記受付ステップにおいて前記操作を受け付けたことに応じて前記第二の表示部への表示を行い、
前記暗所表示モードに設定されている場合には、前記操作があっても前記第二の表示部への表示を行わないように制御する制御ステップとを有することを特徴とする表示制御装置の制御方法。
【請求項１７】
コンピュータを、請求項１乃至１４のいずれか１項に記載された表示制御装置の各手段として機能させるためのプログラム。
【請求項１８】
コンピュータを、請求項１乃至１４のいずれか１項に記載された表示制御装置の各手段として機能させるためのプログラムを格納したコンピュータが読み取り可能な記録媒体。
【手続補正２】
【補正対象書類名】明細書
【補正対象項目名】００１０
【補正方法】変更
【補正の内容】
【００１０】
上記目的を達成するために、本発明の表示制御装置は、接眼部を介して視認可能なファインダ内に設けられた第一の表示部と、前記ファインダの外に設けられた第二の表示部と、前記第一の表示部への物体の接近を検知する検知手段と、表示する色彩を暗所用の色彩にする暗所表示モードに設定する設定手段であって、前記第二の表示部に表示をしておらず、前記第一の表示部に表示をしている時に、前記暗所表示モードに切り替える場合、前記第二の表示部に表示先を切り替えずに前記暗所表示モードに切り替える設定手段と、前記暗所表示モードに設定されていない場合には、前記検知手段によって物体の前記第一の表示部への接近が検知されなくなったことに応じて前記第二の表示部への表示を行い、前記表示モードに設定されている場合には、前記検知手段によって物体の前記第一の表示部への接近が検知されなくなっても前記第二の表示部への表示を行わないように制御する制御手段とを有することを特徴とする。
【手続補正３】
【補正対象書類名】明細書
【補正対象項目名】００４２
【補正方法】変更
【補正の内容】
【００４２】
Ｓ３０９では、システム制御部５０は、暗所表示設定がＯＮからＯＦＦへ変更されたか否かを判定する。暗所表示設定がＯＮからＯＦＦへ変更されたと判定した場合には、不揮発性メモリ１０３の設定情報を、暗所表示設定ＯＮを示すように書き変えて、Ｓ３３３へ進み、そうでない場合は、Ｓ３１０へ進む。図４には暗所表示設定画面４０１及び４０４を示す。図４（ａ）の暗所表示設定画面４０１は、暗所表示設定がＯＦＦにされた場合のファインダ表示部１０５もしくは背面表示部２８の暗所表示設定画面の一例を示したものである。図４（ｂ）の暗所表示設定画面４０４は、暗所表示設定がＯＮにされた場合のファインダ表示部１０５の暗所表示設定画面の一例を示したものであり、暗所表示設定がＯＮなので暗所表示処理が施されて表示される。暗所表示設定のＯＮとＯＦＦは、ユーザ操作により切替可能である。操作部７０の操作によってメニュー画面が表示され、メニュー項目の１つである暗所表示設定から図４（ａ）または（ｂ）の表示をさせ、上下キーの操作によってＯＮとＯＦＦを切り替えられる。